(57)【要約】      （修正有）【課題】各ユニットを積み重ねて複数段の部屋を構成して使用することも、また、個別に使用することも可能で、さらに、室内インテリアとしても、安定感及び美粧性に優れたペットタワーを提供する。【解決手段】ペットの部屋Ｒ１，Ｒ２，Ｒ３となるユニット１０，２０，３０を積み重ねて、複数段の部屋Ｒ１，Ｒ２，Ｒ３を構成するペットタワー１において、ユニット１０，２０，３０は、部屋Ｒ１，Ｒ２，Ｒ３への出入口となる壁孔が形成された円錐台状の外壁部１１，２１，３１と、上下の部屋間の移動を可能とする天井孔１２ａ，２２ａ，３２ａが形成された、床部兼用の天井部１２，２２，３２とを備え、ユニット１０は、ユニット２０の外壁部２１の下端部に係合してユニット２０を位置決め支持する係脱可能な支持部１３を有し、ユニット１０，２０は、支持部１３を介して積み重ねられた際に、それぞれの外壁部１１，２１が連続して円錐台状のタワー外壁の一部を構成する。【選択図】図４
0003190374.tif 000002
【実用新案登録請求の範囲】
【請求項１】
ペットの部屋となるユニットを上下方向に積み重ねることで、複数段の部屋を構成するペットタワーにおいて、
前記ユニットは、前記部屋への出入口となる壁孔が形成された円錐台状の外壁部と、上下の前記部屋間の移動を可能とする天井孔が形成された、床部兼用の天井部と、を備え、
上下に隣接する任意の２段の前記ユニットのうち、下側に位置する下ユニットは、上側に位置する上ユニットの前記外壁部の下端部に係合して前記上ユニットを位置決め支持する係脱可能な支持部を有し、
前記下ユニット及び前記上ユニットは、前記支持部を介して積み重ねられた際に、それぞれの前記外壁部が連続して円錐台状のタワー外壁を構成する、
ことを特徴とするペットタワー。
【請求項２】
前記上ユニットの前記外壁部の高さ寸法は、前記下ユニットの前記外壁部の高さ寸法よりも小さく設定されている、
ことを特徴とする請求項１に記載のペットタワー。
【請求項３】
前記上ユニットの全高は、前記下ユニットの全高よりも小さく設定されている、
ことを特徴とする請求項１又は２に記載のペットタワー。
【請求項４】
最下段に位置する前記下ユニットの前記外壁部の下端部に装着されて床部を構成する着脱自在な床ユニットを備える、
ことを特徴とする請求項１ないし３のいずれか１項に記載のペットタワー。
【請求項５】
前記支持部は、前記外壁部の上端から上方に向かって、前記上ユニットの前記外壁部の下端部における内側に対応する円錐台状に突出されて、前記上ユニットを回転可能に支持する、
ことを特徴とする請求項１ないし４のいずれか１項に記載のペットタワー。
【請求項６】
前記上ユニットは、前記下ユニットの前記天井部から前記外壁部の下端までの前記部屋の収納高さと同じ又はこれよりも小さく設定されていて、前記下ユニットの前記部屋への収納が可能である、
ことを特徴とする請求項４又は５に記載のペットタワー。
【請求項７】
前記床ユニットは、前記下ユニットの前記部屋に前記上ユニットが収納された際に前記部屋を開閉する開閉蓋として兼用される、
ことを特徴とする請求項６に記載のペットタワー。
【請求項８】
前記下ユニット及び前記上ユニットは、前記外壁部の一部に、前記支持部を介して積み重ねられた状態において前記タワー外壁が側方から食い込んだような形状の凹部を有する、
ことを特徴とする請求項１ないし４のいずれか１項に記載のペットタワー。
【請求項９】
前記上ユニットは、前記上ユニット及び前記下ユニットを横に隣接させて床面に載置し、かつ前記下ユニットの前記外壁部の前記壁孔を前記凹部に合わせた際の、前記凹部における前記壁孔に対向する位置に設けられた連通孔を有する、
ことを特徴とする請求項８に記載のペットタワー。
【請求項１０】
最下段に位置する前記下ユニットは、前記凹部に、前記外壁部の前記壁孔とは別の壁孔を有する、
ことを特徴とする請求項９に記載のペットタワー。
【請求項１１】
前記外壁部は、爪とぎ用の素材で形成されている、
ことを特徴とする請求項１ないし１０のいずれか１項に記載のペットタワー。
【考案の詳細な説明】
【技術分野】
【０００１】
本考案は、複数のユニットを積み重ねて複数段の部屋を構成する、猫や小型犬用のペットタワーに関する。
【背景技術】
【０００２】
猫や小型犬のための遊具として、複数段の部屋を有するものが提案されている（例えば、特許文献１参照）。
【０００３】
このものは、全体が段ボールによって縦長の直方体状の箱体を構成していて、横方向の仕切り板によって、下段，中段，上段の小部屋に区画されている。各小部屋の外壁には、外部連絡用の窓部が形成され、また、仕切り板には上下移動用の開口が形成されている。ペットは、各段の窓部を介して、各段の小部屋に直接、出入りすることができ、さらに、上下移動用の開口を介して、上の小部屋と下の小部屋との間を行き来することができる。
【０００４】
この特許文献１には、このペット用遊戯具について、「住宅内の狭いスペースに簡単に設置でき、かつペット類の運動不足を有効に解消することができる」と記載されている。
【先行技術文献】
【特許文献】
【０００５】
【特許文献１】実用新案登録第３０３９３８０号
【考案の概要】
【考案が解決しようとする課題】
【０００６】
しかしながら、上述の特許文献１のものは、下段，中段，下段の各小部屋が全体として一体的に構成されているため、各小部屋を分解して、それぞれ床面に並べて載置して使用したり、１つの部屋を個別に使用したりすることができないという問題があった。
また、全体が単に直方体状に形成されているため、室内インテリアとしての観点からは、安定感及び美粧性に欠けるという問題もあった。
【０００７】
本考案は、上述した事情に鑑みてなされたものであり、部屋を構成する各ユニットを積み重ねて複数段の部屋を構成して使用することも、また、分解して個別の部屋として使用することも可能で、さらに、室内インテリアとしても、安定感及び美粧性に優れたペットタワーを提供することを目的とする。
【課題を解決するための手段】
【０００８】
請求項１に係る考案は、ペットの部屋となるユニットを上下方向に積み重ねることで、複数段の部屋を構成するペットタワーにおいて、前記ユニットは、前記部屋への出入口となる壁孔が形成された円錐台状の外壁部と、上下の前記部屋間の移動を可能とする天井孔が形成された、床部兼用の天井部と、を備え、上下に隣接する任意の２段の前記ユニットのうち、下側に位置する下ユニットは、上側に位置する上ユニットの前記外壁部の下端部に係合して前記上ユニットを位置決め支持する係脱可能な支持部を有し、前記下ユニット及び前記上ユニットは、前記支持部を介して積み重ねられた際に、それぞれの前記外壁部が連続して円錐台状のタワー外壁を構成する、ことを特徴とする。
【０００９】
請求項２に係る考案は、請求項１に係るペットタワーにおいて、前記上ユニットの前記外壁部の高さ寸法は、前記下ユニットの前記外壁部の高さ寸法よりも小さく設定されている、ことを特徴とする。
【００１０】
請求項３に係る考案は、請求項１又は２に係るペットタワーにおいて、前記上ユニットの全高は、前記下ユニットの全高よりも小さく設定されている、ことを特徴とする。
【００１１】
請求項４に係る考案は、請求項１ないし３のいずれか１項に係るペットタワーにおいて、最下段に位置する前記下ユニットの前記外壁部の下端部に装着されて床部を構成する着脱自在な床ユニットを備える、ことを特徴とする。
【００１２】
請求項５に係る考案は、請求項１ないし４のいずれか１項に係るペットタワーにおいて、前記支持部は、前記外壁部の上端から上方に向かって、前記上ユニットの前記外壁部の下端部における内側に対応する円錐台状に突出されて、前記上ユニットを回転可能に支持する、ことを特徴とする。
【００１３】
請求項６に係る考案は、請求項４又は５に係るペットタワーにおいて、前記上ユニットは、前記下ユニットの前記天井部から前記外壁部の下端までの前記部屋の収納高さと同じ又はこれよりも小さく設定されていて、前記下ユニットの前記部屋への収納が可能である、ことを特徴とする。
【００１４】
請求項７に係る考案は、請求項６に係るペットタワーにおいて、前記床ユニットは、前記下ユニットの前記部屋に前記上ユニットが収納された際に前記部屋を開閉する開閉蓋として兼用される、ことを特徴とする。
【００１５】
請求項８に係る考案は、請求項１ないし４のいずれか１項に係るペットタワーにおいて、前記下ユニット及び前記上ユニットは、前記外壁部の一部に、前記支持部を介して積み重ねられた状態において前記タワー外壁が側方から食い込んだような形状の凹部を有する、ことを特徴とする。
【００１６】
請求項９に係る考案は、請求項８に係るペットタワーにおいて、前記上ユニットは、前記上ユニット及び前記下ユニットを横に隣接させて床面に載置し、かつ前記下ユニットの前記外壁部の前記壁孔を前記凹部に合わせた際の、前記凹部における前記壁孔に対向する位置に設けられた連通孔を有する、ことを特徴とする。
【００１７】
請求項１０に係る考案は、請求項９に係るペットタワーにおいて、最下段に位置する前記下ユニットは、前記凹部に、前記外壁部の前記壁孔とは別の壁孔を有する、ことを特徴とする。
【００１８】
請求項１１に係る考案は、請求項１ないし１０のいずれか１項に係るペットタワーにおいて、前記外壁部は、爪とぎ用の素材で形成されている、ことを特徴とする。
【考案の効果】
【００１９】
請求項１の考案によれば、ペットタワーは、下ユニットの支持部に上ユニットの外壁部の下端部を係合させることで、簡単に積み上げることができ、また、逆に簡単に分解することができる。
【００２０】
複数のユニットが積み重ねられた状態のペットタワーは、ペットが、各段のユニットの外壁部の壁孔を通って、外部と各段の部屋との間を直接行き来することができ、また、各段の床部兼用の天井部の上で休息することができ、さらに、天井孔を通って、各段の部屋を行き来することができる。また、各ユニットが分解されて個別に床面に載置された状態においては、ペットは、それぞれの外壁部の壁孔を通って、外部と部屋との間を直接行き来することができ、また、各ユニットの天井部に直接的に、または、壁孔、部屋、及び天井孔を通って乗ることができる。
【００２１】
また、各ユニットは、積み重ねられた際に、それぞれの外壁部が連続して円錐台状のタワー外壁、すなわち上に行くほど細くなるタワー外壁を構成するため、例えば、円柱形や角柱形のものと比較して、形状的に安定したものとなる。また、室内インテリアとして見た場合、安定感及び美粧性に優れたものとなる。
【００２２】
請求項２の考案によれば、上ユニットの前記外壁部の高さ寸法は、前記下ユニットの前記外壁部の高さ寸法よりも小さく設定されているため、上述の先細りの形状と相まって、一層、安定した形状となり、見た目にも安定感を増す。
【００２３】
請求項３の考案によれば、上ユニットの全高は、下ユニットの全高よりも小さく設定されているため、各ユニットに分解して、床面に載置した場合、ユニット間に段差ができて階段状になるので、ペットの遊具として、変化に富んだものとなる。また、室内インテリアとしても一層、美粧性に優れたものとなる。
【００２４】
請求項４の考案によれば、最下段の下ユニットの外壁部の下端に装着する床ユニットは、着脱自在であるので、各ユニットを積み上げてペットタワーを構成する際には、その底部（床部）となり、また、各ユニットを分解して、この下ユニットを収納部として利用する際には、収納部を開閉する開閉蓋となる。
【００２５】
請求項５の考案によれば、下ユニットの外壁部の上端から突出された支持部が円錐台状に形成されているので、この支持部に係合されて支持された上ユニットは、下ユニットに対して回転自在となる。このため、回転方向について、下ユニットの壁孔に対して上ユニットの壁孔を任意の位置に配置することができる。これにより、例えばペットタワーを部屋のコーナーに配置する場合でも、壁孔が、部屋の壁面によって使用できなくなることを防止できる。
請求項６の考案によれば、上ユニットが下ユニットの部屋に収納可能であるので、ペットタワーを片づける際に、コンパクトにまとめることができる。
請求項７の考案によれば、床ユニットは、上ユニットを下ユニットの部屋に収納した際に、開口部を開閉する開閉蓋として兼用することができる。
【００２６】
請求項８の考案によれば、各ユニットが積み重ねられて構成されたペットタワーは、円錐台状のタワー外壁の一部に凹部が形成されるので、美粧性を増すことができる。
【００２７】
請求項９の考案によれば、各ユニットに分解して床面に載置して使用する場合、上ユニットの凹部に下ユニットの外壁部を合わせて、凹部の連通孔と外壁部の壁孔を対向させることにより、これら連通孔及び壁孔を介して、上ユニットの部屋と下ユニットの部屋とを連通させることができる。このとき、上ユニットの凹部の連通孔と、下ユニットの外壁部の壁孔とを隙間が広がらないように近接させることができるので、ペットは壁孔と連通孔とを通って、隣接する部屋間を円滑に行き来することができる。
【００２８】
請求項１０の考案によれば、下ユニットに別の壁孔が形成されているので、上ユニットの壁孔、部屋、連通孔、下ユニットの壁孔、部屋、及び別の壁孔を連通することができる。
【００２９】
請求項１１の考案によれば、各ユニットの外壁部を爪とぎとして使用することができる。さらに、各ユニットが積み重ねられて外壁部が連続して構成されたタワー外壁全体を爪とぎとして利用することができる。
【図面の簡単な説明】
【００３０】
【図１】各ユニット１０，２０，３０を積み重ねて構成した実施形態１のペットタワー１を示す斜視図である。
【図２】ペットタワー１の分解斜視図である。
【図３】（Ａ）〜（Ｆ）はこの順に、ペットタワー１の正面図、右側面図、背面図、左側面図、平面図、底面図である。
【図４】図３（Ａ）中のＡ−Ａ線矢視図である。
【図５】第１ユニット１０に対する第２ユニット２０及び第３ユニット３０の収納状態を説明する斜視図である。
【図６】第１ユニット１０に対する第２ユニット２０及び第３ユニット３０の収納状態を説明する左側面図である。
【図７】図６中のＢ−Ｂ線矢視図である。
【図８】各ユニット６０，７０，８０を積み重ねて構成した実施形態２のペットタワー２を示す斜視図である。
【図９】（Ａ）〜（Ｆ）はこの順に、ペットタワー２の正面図、右側面図、背面図、左側面図、平面図、底面図である。
【図１０】図９（Ａ）中のＡ−Ａ線矢視図である。
【図１１】分解して、床面Ｆに横に並べて隣接させた各ユニット６０，７０，８０を示す斜視図である。
【考案を実施するための形態】
【００３１】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３２】
図１〜図７を参照して、本考案を適用した実施形態１に係るペットタワー１について説明する。このうち、図１は、各ユニット１０，２０，３０を積み重ねて構成したペットタワー１を示す斜視図である。また、図２はペットタワー１の分解斜視図である。また、図３（Ａ）〜（Ｆ）はこの順にペットタワー１の正面図、右側面図、背面図、左側面図、平面図、底面図である。また、図４は、図３（Ａ）中のＡ−Ａ線矢視図である。
【００３３】
以下では、ペットタワー１が、第１ユニット１０、第２ユニット２０、及び第３ユニット３０からなる３段のユニットで構成されている場合を例に説明するが、本考案は、第２ユニット２０が無く、上下２段のユニットで構成されたペットタワー、及び第２ユニット２０が２段以上あって合計４段以上となるユニットで構成されたペットタワーについても適用することができる。
【００３４】
なお、ペットタワー１が、上述のように、３段で構成されている場合、上下に隣接する任意の２段のユニットのうち、下側に位置するユニットを「下ユニット」、上側に位置するユニットを「上ユニット」と決めると、上述の第１ユニット１０は常に下ユニット（最下段の下ユニット）、また第３ユニット３０は常に上ユニットに相当するのに対し、第２ユニット２０は、第１ユニット１０に対しては「上ユニット」に相当し、第３ユニット３０に対しては「下ユニット」に相当することになる。
【００３５】
図１〜図４に示すように、ペットタワー１は、それぞれペットの部屋Ｒ１，Ｒ２，Ｒ３を構成する第１ユニット（下ユニット）１０、第２ユニット（上又は下ユニット）２０、第３ユニット（上ユニット）３０を上下方向に下から順に積み重ねることによって、３段（複数段）の部屋Ｒ１，Ｒ２，Ｒ３を構成している。なお、これらのユニットをまとめて指す場合には、各ユニット１０，２０，３０のように呼ぶ。
このうち、第１ユニット１０は、円筒状の外壁部１１と、この外壁部１１の上端ａ１近傍に設けられた床部兼用の天井部１２及び支持部１３とを有している。
【００３６】
外壁部１１は、図３（Ａ），図４に示すように、筒状に形成されている。すなわち、床面Ｆに対して垂直な軸Ｃを中心とした筒状で、上端ａ１の直径が、下端ｂ１の直径よりも小さい円錐台状の筒状に形成されている。
【００３７】
外壁部１１の高さ寸法（上端ａ１から下端ｂ１までの距離）は、ｈ１に設定されている。外壁部１１には、ペットの部屋Ｒ１への出入口となる壁孔１１ａが形成されている。外壁部１１に対する壁孔１１ａの上下方向の位置、及び軸Ｃを中心とした回転方向（以下単に「回転方向」という。）の位置については、任意とすることができる。また、壁孔１１ａの形状については、図示例では円形であるが、これに限定されず、例えば、楕円形、四角形、六角形等、任意とすることができる。さらに、個数についても、図示例では、１個であるが、これに限定されず、任意の数とすることができる。
【００３８】
天井部１２は、円板状に形成されていて、外壁部１１の上端ａ１近傍に、水平に設けられている。天井部１２は、第１ユニット１０の部屋Ｒ１（外壁部１１と天井部１２とに囲まれた空間）と第２ユニット２０の部屋Ｒ２（後述する外壁部２１と天井部２２とに囲まれた空間）との間を仕切るものであり、部屋Ｒ１の天井となるのはもちろん、部屋Ｒ２の床部としても兼用される。
【００３９】
部屋Ｒ１，Ｒ２を仕切る天井部１２には、天井孔１２ａが形成されている。この天井孔１２ａは、下の部屋Ｒ１と上の部屋Ｒ２との間のペットの移動を可能にするものである。図示例では、天井孔１２ａは円形に形成されているが、形状や大きさ、さらには、位置については任意とすることができる。ただし、上述のように、天井部１２が、その上の部屋Ｒ２の床部を兼用していることを考慮すると、床部の面積を大きくして、ペットが乗るスペースを十分に確保することが好ましい。このような観点からは、天井孔１２ａは、大き過ぎず、また、位置については、天井部１２の中心から外して、周縁部に寄せるようにするとよい。ここで、天井部１２の下面ｄ１から外壁部１１の下端ｂ１までの距離を部屋高さ（収納高さ）Ｓ１とする。
【００４０】
支持部１３は、外壁部１１の上端ａ１から上方に向かって突出されていて、後述する第２ユニット２０の外壁部２１の下端部に係脱可能である。支持部１３は、上述の天井部１２の周端縁から外壁部１１の上端ａ１近傍に沿って上方に延びる円錐台状に形成されている。つまり、支持部１３は、後述する第２ユニット２０の外壁部２１の下端部における内側（内面）に対応する円錐台状に突出されている。支持部１３は、第２ユニット２０の下端ｂ２近傍が係合された際に、第２ユニット２０の上下及び水平方向の位置を規制して、上下及び左右方向の移動を禁止するとともに、第２ユニット２０を軸Ｃを中心として回転可能に支持している。ここで、支持部１３の上端ｃ１から外壁部１１の下端ｂ１までの距離を第１ユニット１０の全高Ｈ１（Ｈ１＞ｈ１＞Ｓ１）とする。
上述の第１ユニット１０は、外壁部１１と天井部１２と支持部１３とが一体的に形成されている。
【００４１】
なお、これに代えて、天井部１２と支持部１３とを一体的に形成して、外壁部１１を別体に構成してもよい。この場合には、一体の天井部１２及び支持部１３は、外壁部１１に対して着脱可能及び回転可能となる。この場合、天井部１２及び支持部１３は、外壁部１１の下端ｂ１の開口部から挿入し、上方に持ち上げて外壁部１１の上端ａ１近傍に嵌合させることで、外壁部１１とともに第１ユニット１０を構成することができる。この場合は、外壁部１１の壁孔１１ａと、天井部１２の天井孔１２ａとの回転方向の位置関係を任意に設定することができる。
第２ユニット２０は、上述の第１ユニット１０とほぼ同様の構成であり、第１ユニット１０よりも全体として少し（一回り）小さく形成されている。
すなわち、第２ユニット２０は、円筒状の外壁部２１と、この外壁部２１の上端ａ２近傍に設けられた床部兼用の天井部２２及び支持部２３とを有している。
【００４２】
外壁部２１は、図３（Ａ），図４に示すように、筒状に形成されている。外壁部２１は、床面Ｆに対して垂直な軸Ｃを中心とした筒状で、上端ａ２の直径が、下端ｂ２の直径よりも小さい円錐台状の筒状に形成されている。
【００４３】
外壁部２１の高さ寸法（上端ａ２から下端ｂ２までの距離）は、ｈ２に設定されている。外壁部２１には、ペットの部屋Ｒ２への出入口となる壁孔２１ａが形成されている。外壁部２１に対する壁孔２１ａの上下方向の位置、及び軸Ｃを中心とした回転方向の位置については、任意とすることができる。また、壁孔２１ａの形状については、図示例では円形であるが、これに限定されず、例えば、楕円形、四角形、六角形等、任意とすることができる。さらに、個数についても、図示例では、１個であるが、これに限定されず、任意の数とすることができる。
【００４４】
天井部２２は、円板状に形成されていて、外壁部２１の上端ａ２近傍に、水平に設けられている。天井部２２は、第２ユニット２０の部屋Ｒ２（外壁部２１と天井部２２とに囲まれた空間）と第３ユニット３０の部屋Ｒ３（後述する外壁部３１と天井部３２とに囲まれた空間）との間を仕切るものであり、部屋Ｒ２の天井となるのはもちろん、部屋Ｒ３の床部としても兼用される。
【００４５】
部屋Ｒ２，Ｒ３を仕切る天井部２２には、天井孔２２ａが形成されている。この天井孔２２ａは、下の部屋Ｒ２と上の部屋Ｒ３との間のペットの移動を可能にするものである。図示例では、天井孔２２ａは円形に形成されているが、形状や大きさ、さらには、位置については任意とすることができる。ただし、上述のように、天井部２２が、その上の部屋Ｒ３の床部を兼用していることを考慮すると、床部の面積を大きくして、ペットが乗るスペースを十分に確保することが好ましい。このような観点からは、天井孔２２ａは、大き過ぎず、また、位置については、天井部２２の中心から外して、周縁部に寄せるようにするとよい。ここで、天井部２２の下面ｄ２から外壁部２１の下端ｂ２までの距離を部屋高さ（収納高さ）Ｓ２とする。
【００４６】
支持部２３は、外壁部２１の上端ａ２から上方に向かって突出されていて、後述する第３ユニット３０の外壁部３１の下端部に係脱可能である。支持部２３は、上述の天井部２２の周端縁から外壁部２１の上端ａ２近傍に沿って上方に延びる円錐台状に形成されている。つまり、支持部２３は、後述する第３ユニット３０の外壁部３１の下端部における内側（内面）に対応する円錐台状に突出されている。支持部２３は、第３ユニット３０の下端ｂ３近傍が係合された際に、第３ユニット３０の上下及び水平方向の位置を規制して、上下及び左右方向の移動を禁止するとともに、第３ユニット３０を軸Ｃを中心として回転可能に支持している。ここで、支持部２３の上端ｃ２から外壁部２１の下端ｂ２までの距離を第２ユニット２０の全高Ｈ２（Ｈ２＞ｈ２＞Ｓ２）とする。
上述の第２ユニット２０は、外壁部２１と天井部２２と支持部２３とが一体的に形成されている。
【００４７】
なお、これに代えて、天井部２２と支持部２３とを一体的に形成して、外壁部２１を別体に構成してもよい。この場合には、一体の天井部２２及び支持部２３は、外壁部２１に対して着脱可能及び回転可能となる。この場合、天井部２２及び支持部２３は、外壁部２１の下端ｂ２の開口部から挿入し、上方に持ち上げて外壁部２１の上端ａ２近傍に嵌合させることで、外壁部２１とともに第２ユニット２０を構成することができる。この場合は、外壁部２１の壁孔２１ａと、天井部２２の天井孔２２ａとの回転方向の位置関係を任意に設定することができる。
【００４８】
上述構成の第２ユニット２０は、外壁部２１の下端部に第１ユニット１０の支持部１３が係合されることで、上下及び水平方向の位置が規制されて位置決めされるとともに、第１ユニット１０によって回転可能に支持される。これにより、第１ユニット１０及び第２ユニット２０の外壁部１１，２１の壁孔１１ａ，２１ａの回転方向の相対位置は、任意の位置に容易に変更することが可能である。
【００４９】
また、第１ユニット１０の支持部１３を介して積み重ねられた第１ユニット１０及び第２ユニット２０は、それぞれの円錐台状の外壁部１１，２１が一体的に連続して、円錐台状のタワー外壁１Ａの一部を構成する。なお、タワー外壁１Ａは、次に説明する第３ユニット３０の外壁部３１を加えて、タワー外壁１Ａ全体を構成することになる。
【００５０】
第３ユニット３０は、上述の第２ユニット２０の支持部２３に相当する部分が無い点を除き、第２ユニット２０とほぼ同様の構成であり、第２ユニット２０よりも全体として少し（一回り）小さく形成されている。第３ユニット３０は、最上段に位置するユニットであって、この上には他のユニットが重ねられることが無いため、支持部は不要である。
すなわち、第３ユニット３０は、円筒状の外壁部３１と、この外壁部３１の上端ａ３近傍に設けられた床部兼用の天井部３２とを有している。
【００５１】
外壁部３１は、図３（Ａ），図４に示すように、筒状に形成されている。外壁部３１は、床面Ｆに対して垂直な軸Ｃを中心とした筒状で、上端ａ３の直径が、下端ｂ３の直径よりも小さい円錐台状の筒状に形成されている。
【００５２】
外壁部３１の高さ寸法（上端ａ３から下端ｂ３までの距離）は、ｈ３に設定されている。外壁部３１には、ペットの部屋Ｒ３への出入口となる壁孔３１ａが形成されている。外壁部３１に対する壁孔３１ａの上下方向の位置、及び軸Ｃを中心とした回転方向の位置については、任意とすることができる。また、壁孔３１ａの形状については、図示例では円形であるが、これに限定されず、例えば、楕円形、四角形、六角形等、任意とすることができる。さらに、個数についても、図示例では、１個であるが、これに限定されず、任意の数とすることができる。
【００５３】
天井部３２は、円板状に形成されていて、外壁部３１の上端ａ３近傍に、水平に設けられている。天井部３２は、第３ユニット３０の部屋Ｒ３（外壁部３１と天井部３２とに囲まれた空間）とその上方の外部の空間との間を仕切るものであり、部屋Ｒ３の天井となるのはもちろん、屋上の床部としても兼用される。
【００５４】
部屋Ｒ３と外部の空間とを仕切る天井部３２には、天井孔３２ａが形成されている。この天井孔３２ａは、部屋Ｒ３と屋上との間のペットの移動を可能にするものである。図示例では、天井孔３２ａは半径が異なる２つの円弧を組み合わせた形状であるが、形状や大きさ、さらには、位置については任意とすることができる。ただし、上述のように、天井部３２が、屋上の床部を兼用していることを考慮すると、床部の面積を大きくして、ペットが乗るスペースを十分に確保することが好ましい。このような観点からは、天井孔３２ａは、大き過ぎず、また、位置については、天井部３２の中心から外して、周縁部に寄せるようにするとよい。ここで、第３ユニット３０の全高をＨ３とすると、第３ユニット３０には、支持部が無いため、この全高Ｈ３は、上述の外壁部３１の高さｈ３と等しくなる（Ｈ３＝ｈ３）。
上述の第３ユニット３０は、外壁部３１と天井部３２とが一体的に形成されている。
【００５５】
なお、これに代えて、外壁部３１と天井部３２とを別体に構成してもよい。この場合には、天井部３２は、外壁部３１に対して着脱可能及び回転可能となる。この場合、天井部３２は、外壁部３１の下端ｂ３の開口部から挿入し、上方に持ち上げて外壁部３１の上端ａ３近傍に嵌合させることで、外壁部３１とともに第３ユニット３０を構成することができる。この場合は、外壁部３１の壁孔３１ａと、天井部３２の天井孔３２ａとの回転方向の位置関係を任意に設定することができる。
【００５６】
上述構成の第３ユニット３０は、外壁部３１の下端部に第２ユニット２０の支持部２３が係合されることで、上下及び水平方向の位置が規制されて位置決めされるとともに、第２ユニット２０によって回転可能に支持される。これにより、第２ユニット２０及び第３ユニット３０の外壁部２１，３１の壁孔２１ａ，３１ａの回転方向の相対位置は、任意の位置に容易に変更することが可能である。つまり、第１ユニット１０、第２ユニット２０、及び第３ユニット３０の外壁部１１，２１，３１の壁孔１１ａ，２１ａ，３１ａは、回転方向の位置については、任意の位置に設定することができる。
【００５７】
また、第２ユニット２０の支持部２３を介して積み重ねられた第２ユニット２０及び第３ユニット３０は、それぞれの円錐台状の外壁部２１，３１が一体的に連続して、円錐台状のタワー外壁１Ａの一部を構成する。つまり、第１ユニット１０に支持部１３を介して第２ユニット２０が積み重ねられ、さらに、この第２ユニット２０の支持部２３を介して第３ユニット３０が積み重ねられてペットタワー１が構成された際には、これらの円錐台状の外壁部１１，２１，３１が連続して、全体として、図４に示す、円錐台状のタワー外壁１Ａを構成する。
ここで、図４を参照して、各ユニット１０，２０，３０の各寸法について整理する。
【００５８】
上述のように、第１ユニット１０は、全高Ｈ１、外壁部１１の高さｈ１、部屋高さ（収納高さ）Ｓ１である。また、第２ユニット２０は、全高Ｈ２、外壁部２１の高さｈ２、部屋高さ（収納高さ）Ｓ２である。また、第３ユニット３０は、全高Ｈ３、外壁部３１の高さｈ３である。
そして、本実施形態においては、これらの寸法の大小関係について、以下のように設定されている。
【００５９】
まず、各ユニット１０，２０，３０ごとに見ると、第１ユニット１０については、Ｈ１＞ｈ１＞Ｓ１である。また、第２ユニット２０については、Ｈ２＞ｈ２＞Ｓ２である。また、第３ユニット３０については、Ｈ２＝ｈ２である。
【００６０】
次に、各ユニット１０，２０，３０の外壁部１１，２１，３１の高さを比較すると、ｈ１＞ｈ２＞ｈ３となる。また、各ユニット１０，２０，３０の全高を比較すると、Ｈ１＞Ｈ２＞Ｈ３である。ここで、ペットタワー１の全高Ｈは、（Ｈ１＋Ｈ２＋Ｈ３）ではなく、（ｈ１＋ｈ２＋ｈ３）である。
【００６１】
また、各ユニット１０，２０の部屋高さ（収納高さ）Ｓ１，Ｓ２を比較すると、Ｓ１＞Ｓ２である。そして、部屋高さ（収納高さ）Ｓ１，Ｓ２と全高Ｈ２，Ｈ３とについては、Ｓ２≧Ｈ３、Ｓ１≧Ｈ２である。
【００６２】
本実施形態のペットタワー１は、さらに、着脱自在な床ユニット４０を備えている。床ユニット４０は、床部４２と、係合部４３と、つまみ４４とを有している。床部４２は、円板状に形成されていて、その外径が第１ユニット１０の外壁部１１の下端ｂ１の内径とほぼ同じに設定されている。係合部４３は、床部４２の周端縁から立ち上がる円錐台状の筒状に形成されていて、第１ユニット１０の外壁部１１の下端ｂ１近傍の内面とほぼ同形となっている。つまみ４４は、係合部４３の下端に取り付けられている。
【００６３】
床ユニット４０は、係合部４３が第１ユニット１０の外壁部１１の下端部に係合されることで、第１ユニット１０に装着されて、その床部を構成する。また、床ユニット４０は、つまみ４４を摘んで、引き上げることにより、第１ユニット１０から容易に取り外すことができる。なお、床ユニット４０は、後述するペットタワー１の分解、収納時には、開閉自在な開閉蓋（蓋部材）として兼用される。
なお、本実施例では、図１〜図４に示すように、第３ユニット３０の天井部３２の上面には、この天井部３２とほぼ同形のクッション５０が載置されている。
【００６４】
上述のペットタワー１は、各ユニット１０，２０，３０を支持部１３，２３を介して簡単に積み重ねることができ、３段の部屋Ｒ１，Ｒ２，Ｒ３を備えたペットの遊具を構成することができる。
【００６５】
この場合、ペットは、各段の外壁部１１，２１，３１の壁孔１１ａ，２１ａ，３１ａを通って、外部と各段の部屋Ｒ１，Ｒ２，Ｒ３との間を自由に直接、行き来（移動）することができる。ペットは、また、各段の天井部１２，２２，３２の天井孔１２ａ，２２ａ，３２ａを通って、部屋Ｒ１，Ｒ２，Ｒ３間の上下方向の移動、及び部屋Ｒ３と天井部３２の上方との間の移動を自由に行うことができる。
【００６６】
また、この場合、各ユニット１０，２０，３０の外壁部１１，２１，３１が連続して円錐台状のタワー外壁１Ａ、すなわち、上に行くほど細くなるタワー外壁１Ａを構成するため、例えば、円柱形や角柱形のものと比較して、形状的に安定したものとなる。また、室内インテリアとして見た場合、安定感及び美粧性に優れたものとなる。
【００６７】
また、この場合、上述のように、外壁部１１，２１，３１の高さｈ１，ｈ２，ｈ３が、ｈ１＞ｈ２＞ｈ３に設定されているため、構造上及び外見上、さらに安定感を増すことができる。
【００６８】
また、この場合、第１ユニット１０及び第２ユニット２０の支持部１３，２３を介して、各ユニット１０，２０，３０が回転可能に積み上げられるので、各ユニット１０，２０，３０の各壁孔１１ａ，２１ａ，３１ａの回転方向の位置関係を任意に設定することが可能となる。このため、例えばペットタワー１を部屋のコーナーに配置する場合でも、位置関係が固定されている場合と異なり、壁孔１１ａ，２１ａ，３１ａが、部屋の壁面によって使用できなってしまうことがない。
【００６９】
なお、上述のように、天井部１２，２２，３２等と、外壁部１１，２１，３１とを別体に構成した場合には、外壁部１１，２１，３１に対する天井孔１２ａ，２２ａ，３２ａの回転方向の位置は、任意に設定することができる。このことと、上述の壁孔１１ａ，２１ａ，２３ａの回転方向の位置を任意にできることを合わせると、壁孔１１ａ，２１ａ，３１ａ及び天井孔１２ａ，２２ａ，３２ａの回転方向の位置については、すべて任意に設定することができるといえる。
【００７０】
次に、上述のペットタワー１は、各ユニット１０，２０，３０に分解して、個別に床面Ｆに載置して使用することもできる。なお、この分解は、支持部１３，２３が上述のように構成されているため、まず、支持部２３から第３ユニット３０を持ち上げて取り外し、同様に、支持部１２から第２ユニット２０を持ち上げて取り外すことによって簡単に行える。
【００７１】
このように、各ユニット１０，２０，３０に分解した場合、ペットは、各ユニット１０，２０，３０の壁孔１１ａ，２１ａ，３１ａを通って各部屋Ｒ１，Ｒ２，Ｒ３に直接、出入りすることができる外、各ユニット１０，２０，３０の天井部１２，２２，３２の上に、直接、又は部屋Ｒ１，Ｒ２，Ｒ３を介して乗ることができる。
【００７２】
また、この場合、上述のように、各ユニット１０，２０，３０の全高Ｈ１，Ｈ２，Ｈ３が、Ｈ１＞Ｈ２＞Ｈ３に設定されていて、この順に段差が付くため、段差がない場合と比較して、ペットの遊具としてバラエティーに富み、また、室内インテリアとして見た場合、美粧性に優れる。
【００７３】
次に、各ユニット１０，２０，３０に分解したペットタワー１は、コンパクトに収納することができる。この点について図５〜図７を参照して説明する。このうち、図５は、第１ユニット１０に対する第２ユニット２０及び第３ユニット３０の収納状態を説明する斜視図である。また、図６は、同じく右側面図である。また、図７は図６中のＢ−Ｂ線矢視図である。
【００７４】
各ユニット１０，２０，３０は、上述のように、第２ユニット２０の部屋高さ（収納高さＳ２と第３ユニット３０の全高Ｈ３との間に、Ｓ２≧Ｈ３の関係があり、さらに、第１ユニット１０の部屋高さ（収納高さ）Ｓ１と第２ユニット２０の全高Ｈ２との間に、Ｓ１≧Ｈ２の関係がある。
【００７５】
これにより、図５〜図７に示すように、床ユニット４０を外した状態で、各ユニット１０，２０，３０を上下逆さまにして、図７に示すように、第３ユニット３０を第２ユニット２０の部屋Ｒ２に収納し、さらにこの状態で、第３ユニット３０及び第２ユニット２０を第１ユニット１０の部屋Ｒ１に収納することができる。そして、この場合でも、第１ユニット１０の部屋Ｒ１から（外壁部１１の下端ｂ１から）、第２ユニット２０及び第３ユニット３０の外壁部２１，３１の下端ｂ２，ｂ３が上方に出っ張ることがない。このため、第３ユニット３０の部屋Ｒ３にクッション５０を収納し、その後、床ユニット４０を上下逆さまにして、第１ユニット１０の下端ｂ１の開口部Ｋに係合（嵌合）することにより、全体をコンパクトに収納する（まとめる）ことができる。なお、床ユニット４０は、上述のように、３段のペットタワー１を構成する際には、第１ユニット１０の床部として使用され、また、収納時には、第１ユニット１０の開口部Ｋを閉鎖する開閉自在な蓋部として使用される。
【００７６】
上述のペットタワー１は、各ユニット１０，２０，３０、特に外壁部１１，２１，２３をそれぞれ異なる色に塗り分けることにより、さらに、室内インテリアとしての美粧性を向上させることができる。
＜実施形態２＞
【００７７】
図８〜図１１を参照して、本考案を適用した実施形態２に係るペットタワー２について説明する。このうち、図８は、各ユニット６０，７０，８０を積み重ねて構成した実施形態２のペットタワー２を示す斜視図である。また、図９（Ａ）〜（Ｆ）はこの順に、ペットタワー２の正面図、右側面図、背面図、左側面図、平面図、底面図である。また、図１０は、図９（Ａ）中のＡ−Ａ線矢視図である。また、図１１は、分解して、床面Ｆに横に並べた各ユニット６０，７０，８０を示す斜視図である
【００７８】
なお、本実施形態の第１ユニット６０、第２ユニット７０、及び第３ユニット８０は、この順に、それぞれ上述の実施形態１の第１ユニット１０、第２ユニット２０、及び第３ユニット３０に相当するユニットであり、これらのユニット１０，２０，３０と異なる点は、それぞれ凹部６４，７４，８４が形成されている点であり、その他についてはほぼ同様である。以下の説明では、異なる点について主に説明する。
【００７９】
第１ユニット６０は、上述の実施形態１の第１ユニット１０の外壁部１１、壁孔１１ａ、天井部１２、天井孔１２ａ、支持部１３とほぼ同様の外壁部６１、壁孔６１ａ、天井部６２、天井孔６２ａ、支持部６３を有している。第１ユニット６０は、これに加え、凹部６４を有している。外壁部６１の高さｈ６は、外壁部６１の上端ａ６と下端ｂ６との間の高さ（距離）である。
【００８０】
また、第２ユニット７０は、上述の実施形態１の第２ユニット２０の外壁部２１、壁孔２１ａ、天井部２２、天井孔２２ａ、支持部２３とほぼ同様の外壁部７１、壁孔７１ａ、天井部７２、天井孔７２ａ、支持部７３を有している。第２ユニット７０は、これに加え、凹部７４を有している。外壁部７１の高さｈ７は、外壁部７１の上端ａ７と下端ｂ７との間の高さ（距離）である。
【００８１】
また、第３ユニット８０は、上述の実施形態１の第３ユニット３０の外壁部３１、壁孔３１ａ、天井部３２、天井孔３２ａとほぼ同様の外壁部８１、壁孔８１ａ、天井部８２、天井孔８２ａを有している。第３ユニット８０は、これに加え、凹部８４を有している。外壁部８１の高さｈ８は、外壁部８１の上端ａ８と下端ｂ８との間の高さ（距離）である。なお、天井部８２には、実施形態１で説明したクッション５０と同様のクッション５０が載置されている。
【００８２】
また、床ユニット９０は、上述の実施形態１の床ユニット４０の床部４２、係合部４３とほぼ同様の床部９２、係合部９３を有している。床ユニット９０は、これに加え、凹部９４を有している。
【００８３】
ペットタワー２は、図８〜図１１に示すように、第１ユニット６０の支持部６３に第２ユニット７０の外壁部７１の下端部を係合させることで、第１ユニット６０に第２ユニット７０を積み重ねる。同様に、第２ユニット７０の支持部７３に第３ユニット８０の外壁部８１の下端部を係合させることで、第２ユニット７０に第３ユニット８０を積み重ねる。これにより、一部に凹部６４，７４，８４を有する円錐台状のタワー外壁２Ａを備え、上下３段の部屋Ｒ１，Ｒ２，Ｒ３を備えたペットタワー２が構成されている。このときのペットタワー２の全高Ｈは、（ｈ６＋ｈ７＋ｈ８）となる。また、ｈ６＞ｈ７＞ｈ８となっている。
【００８４】
図８〜図１０に示すように、各ユニット６０，７０，８０のそれぞれの凹部６４，７４，８４は、円錐台状のタワー外壁２Ａが側方から食い込んだような形状に形成されている。つまり、凹部６４，７４，８４は、それぞれ円錐台の一部が食い込んだ形状に形成されていて、上下に連続した状態でも同様に連続した凹部を構成している。
【００８５】
上述の凹部６４，７４，８４のうち、凹部７４，８４には、それぞれ連通孔７４ａ，８４ａが形成されている。連通孔７４ａ，８４ａは、ペットタワー２を各ユニット６０，７０，８０に分解して、図１１に示すように、個別に床面Ｆに隣接させて載置し、かつ各ユニット６０，７０の壁孔６１ａ，７１ａをそれぞれ各ユニット７０，８０の凹部７４，８４に合わせた際の、壁孔６１ａ，７１ａに対向する位置に設けられている。
【００８６】
このように各ユニット６０，７０，８０に凹部６４，７４，８４が形成され、さらに、凹部７４，８４に連通孔７４ａ，８４ａが形成されることにより、各ユニット６０，７０，８０を図１１に示すように配置した場合に、第１ユニット６０の壁孔６１ａと第２ユニット７０の連通孔７４ａとを近接させた状態で位置を合わせることができる。同様に、第２ユニット７０の壁孔７１ａと第３ユニット８０の連通孔８４ａとを近接させた状態で位置を合わせることができる。このように、壁孔６１ａと連通孔７４ａとが近接された状態で位置合わせされ、また、同様に、壁孔７１ａと連通孔８４ａとが近接された状態で位置合わせされているので、ペットは、部屋Ｒ１，Ｒ２間、及び部屋Ｒ２，Ｒ３間を支障なく、行き来することができる。なお、第１ユニット６０の凹部６４にも、同様の連通孔（壁孔）を設けるようにしてもよい。
【００８７】
本実施形態によれば、上述の実施形態１のペットタワー１の効果のうち、壁孔１１ａ，２１ａ，３１ａや天井孔１２ａ，２２ａ，３２ａの回転方向の位置関係を任意に設定することができるという効果を除いて、ペットタワー１と同様の効果を奏することができる。
【００８８】
さらに、本実施形態によれば、上述の効果に加え、凹部６４，７４，８４及び連通孔６４ａ，７４ａを設けることにより、各ユニット６０，７０，８０を図８に示すように積み重ねた場合も、また、図１１に示すように個別に分解して床面Ｆに載置した場合も、ペットの移動可能なパターンを増加させることができるとともに、室内インテリアとしての美粧性を一層、向上させることができる。
【００８９】
以上説明した、各ユニット１０，２０，３０，６０，７０，８０の外壁部１１，２１，３１，６１，７１，８１を爪とぎ用の素材で構成するようにしてもよい。この場合には、ペットとしての猫の、爪とぎに使用することができる。爪とぎ用の素材としては、例えば、ボール紙の表面にフェルト等の生地を張り付けたものを使用することができる。
【符号の説明】
【００９０】
１          実施形態１のペットタワー
１Ａ        タワー外壁
２          実施形態２のペットタワー
２Ａ        タワー外壁
１０，６０  第１ユニット（下ユニット）
２０，７０  第２ユニット（下ユニット、上ユニット）
３０，８０  第３ユニット（上ユニット）
１１，２１，３１，６１，７１，８１
外壁部
１１ａ，２１ａ，３１ａ，６１ａ，７１ａ，８１ａ
壁孔
１２，２２，３２，６２，７２，８２
天井部
１２ａ，２２ａ，３２ａ，６２ａ，７２ａ，８２ａ
天井孔
１３，２３，６３，７３
支持部
４０，９０  床ユニット
６４，７４，８４
凹部
７４ａ，８４ａ
連通孔
ａ１〜ａ３，ａ６〜ａ８
外壁部の上端
ｂ１〜ｂ３，ｂ６〜ｂ８
外壁部の下端
ｃ１，ｃ２  支持部の上端
ｄ１，ｄ２  天井部の下面
ｈ１，ｈ２，ｈ３
外壁部の高さ（高さ寸法）
Ｈ１，Ｈ２，Ｈ３
ユニットの全高
Ｓ１，Ｓ２  部屋高さ（収納高さ）
Ｒ１，Ｒ２，Ｒ３
部屋
【図１】
0003190374.tif 000003
【図２】
0003190374.tif 000004
【図３】
0003190374.tif 000005
【図４】
0003190374.tif 000006
【図５】
0003190374.tif 000007
【図６】
0003190374.tif 000008
【図７】
0003190374.tif 000009
【図８】
0003190374.tif 000010
【図９】
0003190374.tif 000011
【図１０】
0003190374.tif 000012
【図１１】
0003190374.tif 000013